Podtech/llm-jp-corpus-v4-ja_patent huggingface dataset:
(57)【要約】【課題】LEDを光源とした内部照明表示板で、大型表示板、高所表示板、交通表示板などで光源の一部が断線して不点灯に成った場合、そのメンテナンスが難しい。内部照明表示板には、表面に光拡散板や光拡散シートが取り付けられており、それらを取り外して内部の修理をするには多くの手数が掛かる。【解決手段】内部照明表示板一辺の側面フレームを、表示板底部より５ｍｍ〜３０ｍｍ浮かせて固定する「浮きフレーム」（３）構造とし、その隙間からLEDの「発光板」（４）を抜き差しすることで、簡単にメンテナンスすることが可能とした内部照明表示板。【選択図】図２
2009237392.tif 000002
【特許請求の範囲】
【請求項１】
LEDを光源とする内部照明表示板で、表面の光拡散シート又は光拡散板を外さずに光源を交換出来る構造とした表示板。
【請求項２】
請求項１記載の光源はLEDチップをたて・よこに一定間隔で並べて固定した、平面の「発光板」で、「発光板」単位で取替え可能とした表示板。
【請求項３】
請求項２記載の「発光板」を交換するとき、表示板底部に設けられた「スライドレール」により、底部に沿って移動させる構造の表示板。
【請求項４】
請求項２記載の「発光板」を交換するとき、表示板一辺の側面フレームを表示板底部より５ｍｍ〜３０ｍｍ浮かせて固定した「浮きフレーム」構造とした表示板。
【請求項５】
請求項３記載の「発光板」が「スライドレール」を挟んで並んだとき、相対する2列のLED間隔が発光板上の他のLED間隔と近似になる構造とした表示板。
【発明の詳細な説明】
【技術分野】
【０００１】
本発明は、内部照明標識板の表面シートを外さす、簡単・手軽に内部光源を取替え出来る構造とした表示板構造
【背景技術】
【０００２】
LEDをたて・よこ一定間隔に並べて板状に固定した「発光板」の製造が可能となる。この発光板には防水加工が施され、屋外使用が可能となり、室内、屋外を問わすあらゆる用途の表示板に使用出来るようになった。
【０００３】
表示板の側面フレームで、表示板底部より５ｍｍ〜３０ｍｍ浮かせて固定する「浮きフレームの」製造が可能となる。このことで、表示板表面の光拡散板や光拡散シートを取り外さず、光源である「発光板」を簡単に交換可能となった。
【０００４】
表示板底部に沿って「発光板」をスライドさせながら引き出し、差込みが出来る「スライドレール」の設置でこの仕組みが可能となる。また、「スライドレール」内に発光板を収める事で常に発光板と光拡散シートの間隔が保たれ、均一な光の面が作れるようになった。
【発明の開示】
【発明が解決しようとする課題】
【０００５】
LEDを光源とした内部照明表示板で、大型表示板、高所表示板、交通表示板など光源の一部が断線して不点灯になった場合、そのメンテナンスが難しい。内部照明表示板には、表面に光拡散板や光拡散シートが取り付けられており、それらを取り外して内部の修理をするには多くの手数が掛かる。
【０００６】
LEDは小さく、LEDを光源とした表示板は薄く、軽量に仕上げることが出来るが、多数使うLEDを常に正常に点灯させるには、メンテナンスが必要である。
【０００７】
発光板を引き出し、差込可能としても、常に表示板底部に密着させて設置する必要がある、表示板表面の照度を一定に保つには、LEDと光拡散板との距離を一定に保持する必要がある。
【０００８】
発光板を複数並べて設置し、表示板の表面全体を均一な照度とするにはLEDをたて・よこ均一に並べる必要がある。
【課題を解決するための手段】
【０００９】
内部照明表示板の側面フレームを、表示板底部より浮かせて固定する「浮きフレーム」（３）構造とし、その隙間から「発光板」（４）を抜き差しすることで、簡単にメンテナンスすることが可能となる。
【００１０】
LEDをたて・よこ一定間隔に並べて板状に固定して、「発光板」（４）として仕上げ、「発光板」（４）単位で交換すると、メンテナンスの作業性が上がり、コスト削減となる。
【００１１】
「発光板」（４）を抜き差しする時、表示板底部（６）に収めるには、「発光板」（４）の両端が通る「スライドレール」（７）を設けることで、安定して底部に設置することが可能となる。
【００１２】
「発光板」（４）を設置するとき、「スライドレール」（７）を挟んで隣接する発光板上のLED間隔が、他の発光板上のLED間隔と同じ距離（b）になるように設置することで、表示板全体に均一な光の面を作ることが可能となる。
【発明の効果】
【００１３】
LEDを光源とすることで、従来の蛍光灯に比べ消費電力が大幅に削減される。また、寿命も長く、光源の取替えに掛かる手数、経費も大幅に削減される。
【００１４】
あらかじめ「発光板」（４）に仕上げて、発光板単位で交換することで、取り付け取り外しの手間を大幅に削減することが出来る。
【００１５】
表示板の表面に設置された「光拡散シート」（１）を外さず、光源のみ取替えが出来ることでメンテナンス経費を大幅に削減できる。特に大型表示板、高所表示板、交通表示板などにはその効果は絶大である。
【００１６】
表示板底部に「スライドレール」（７）を設けて、その中をスライドさせながら設置することで、安定した位置に発光板（４）表示板底部（６）に固定できる。この事で表示板全面を均一な光の面に維持することが可能となる。
【発明を実施するための最良の形態】
【００１７】
LEDを光源とする内部照明表示板で、表面の「光拡散シート」（１）を付けたまま光源を抜き差しして交換出来る、メンテナンス容易な表示板。
【００１８】
LEDを光源とする内部照明表示板で、側面フレームの一辺を表示板底部より５ｍｍ〜３０ｍｍ浮かせて、「浮きフレーム」（３）とし、その隙間から「発光板」（４）を抜き差しする事で、光源を交換することが可能とした表示板。
【００１９】
LEDを均一に並べて固定した「発光板」（４）と「スライドレール」（７）内に均一に「発光板」（４）を並べることで、表示板全面を均一な光の面にすることを可能とした、薄型・軽量の表示板。
【実施例１】
【００２０】
図１は、本発明の正面図である。通常内部照明表示板は、内部の光源を取り替えるとき、正面の「光拡散シート」（１）を外して、取り替えるが、本発明はシートを外さないで、側面から挿入して交換する。
【００２１】
側面から挿入するには、側面フレームを一定間隔浮かせて固定する「浮きフレーム」（３）にする必要がある。このため「スライドレール」（７）を通して、その上に固定する。
【００２２】
スライドレール（７）の上に固定した浮きフレーム（３）とすることで、その隙間から光源である「発光板」（４）を交換出来る。
【００２３】
「スライドレール」（７）内を「発光板」（４）はスライドして内部に固定されるので、「発光板」（４）は「表示板の底部」（６）に固定され、均一な明るさの表示板が実現できる。
【図面の簡単な説明】
【００２４】
【図１】内部照明表示板の正面図
【図２】断面図
【図３】側面図
【符号の説明】
【００２５】
１    表示板の表面、光拡散シート
２    側面フレーム
３    浮きフレーム
４    発光板
５    LED
６    表示板底部
７    スライドレール
a     挿入する
b    LEDチップの間隔
【図１】
2009237392.tif 000003
【図２】
2009237392.tif 000004
【図３】
2009237392.tif 000005
(57)【要約】【課題】本発明の課題はストロボの光学系筐体の側部に前記光学系筐体の内外に通じる複数のスリットを設け、之によって常に内部の冷却が期待でき、しかもこのスリット個所を指先で持つとスリット故に摩擦が生じ其の為に保持が確実となる点にある。【解決手段】外付けストロボの機能を内蔵したストロボ本体と、該ストロボ本体の発光部を内蔵した光学系筐体と、該筐体の側部に前記光学系筐体の内外に通じる複数個のスリットを設けてなることを特徴としたストロボの冷却筐体装置。【選択図】  図１
2009237393.tif 000002
【特許請求の範囲】
【請求項１】
外付けストロボの機能を内蔵したストロボ本体と、該ストロボ本体の発光部を内蔵した光学系筐体と、該筐体の側部に前記光学系筐体の内外に通じる複数個のスリットを設けてなることを特徴としたストロボの冷却筐体装置。
【発明の詳細な説明】
【技術分野】
【０００１】
本発明は、ストロボの発光部で生じる高温発生部を筐体構造の改良によって常時冷却できるようにし、しかも筐体を指先で持っても確実に保持できるストロボの冷却筐体装置に関する。
【背景技術】
【０００２】
カメラに対し機械的及び電気的に結合され、カメラの操作に連動してフラッシュをする一般的なストロボは、カメラに内蔵されるストロボとカメラとは距離的に離れていてカメラの光りに同期してフラッシングする所謂外付けストロボ（スレーブストロボ）は各種の構造を採用しているが、途中で筐体が屈曲出来る構造を採用して一方を光学系筐体とし、この光学系をカメラの機能に連動して発光させ内部に電池を収納した他方をインタフエース機能内蔵のインタフェース機能筐体として構成される。
【０００３】
そして、光学系筐体の内部には高温を発生する放電管が内蔵され、これを連続使用するとこの光学系筐体の個所で熱を持つことになる。この場合、放電管、電源発振回路等で１００℃以上になることがある。したがって、使用者には早くこの状況を警告として知らせる必要が生じる。
【０００４】
特許文献１は、カメラ、ストロボの電子部品に温度検知素子を配備して温度の検知を行っているが、これはあくまでも温度検知をする技術であって筐体内部の常に放電管付近の冷却を考慮したものではなく、また同時に指先で筐体を持ったときに確実に保持できる機能を考慮していないものである。
【特許文献１】特開２００７−３３３６８４号
【発明の開示】
【発明が解決しようとする課題】
【０００５】
本発明の課題はストロボの光学系筐体の側部に前記光学系筐体の内外に通じる複数のスリットを設け、之によって常に内部の冷却が期待でき、しかもこのスリット個所を指先で持つとスリット故に摩擦が生じ其の為に保持が確実性となる点にある。
【課題を解決するための手段】
【０００６】
本発明の課題を解決する手段は、外付けストロボの機能を内蔵したストロボ本体と、該ストロボ本体の発光部を内蔵した光学系筐体と、該筐体の側部に前記光学系筐体の内外に通じる複数個のスリットを設けてなることで高温発生部を常に冷却し、しかも指先で持つ保持を確実なものとするものである。
【発明の効果】
【０００７】
本発明によれば、ストロボの高温を発生する放電管付近を冷却でき、しかもこの個所を指先で掴んでも確実な保持ができ構造簡単な効果を生じるものである。
【発明を実施するための最良の形態】
【０００８】
以下、 図１を参照して、本発明の一実施例に係わるストロボの冷却筐体装置を説明する。同図は発光部前面側からみた斜視図である。
１１はストロボ本体で、このストロボ本体１１はカメラとストロボとのインタフェースをとる主にインタフェース機能と電池収納蓋２内に電池を内蔵した構造とからなるインタフェース機能筐体１と、内部に放電管等を内蔵し前面にプラスチック製のフレネルレンズ４を装着した光学系筐体３とからなっている。前記光学系筐体３とインタフェース機能筐体１とは中央で屈曲できる屈曲構造部５で結合されている。
【０００９】
前記光学系筐体３の左右の側部６にはスリット７が複数個形成されている。このスリット７は適当な個数と幅を設定する。此のスリット７の個数と幅は光学系筐体３の内部を冷却できる条件で適宜選定すればよい。またスリット７は指先で掴むから強度的に満足するように余り多くの個数と幅を廣くし過ぎるのは避けなければならない。
【００１０】
これによって光学系筐体３を上下に振る場合、或いは下に振る場合は指先がスリット７によって滑りにくくなり、確実に指先で保持して振ることができるものである。また、スリット７は光学系筐体３の内部と空気が通じるので内部の放電管を常に冷却できるもので高温になることは無いものである。
【産業上の利用可能性】
【００１１】
以上、本発明は光学系筐体の側部６にスリット７を設けるから指先での保持を確実なものにできるばかりか放電管の冷却にも役に立つ、其のうえ構造は簡単であるから経済的で普及も見込まれるものである。
【図面の簡単な説明】
【００１２】
【図１】本発明の一実施例に係わるストロボの冷却筐体装置の斜視図。
【符号の説明】
【００１３】
１   インタフェース機能筐体
２   電池収納蓋
３   光学系筐体
４   フレネルレンズ
５   屈曲構造部
６   側部
７   スリット
８   上面
１０  発光部
１１  ストロボ本体
【図１】
2009237393.tif 000003
(57)【要約】【課題】従来の携帯電話に、フリーハンドで使える子機があると便利である。従来のメガネは、メガネとしての機能しか有していない。【解決手段】メガネに携帯電話の子機としての機能を付与することで、フリーハンドでの使用が可能となる。従来のメガネに様々な機能を加えることで、それ自体が携帯電話となる【選択図】図２
2009232470.tif 000002
【特許請求の範囲】
【請求項１】
携帯電話の子機としての機能を具えたメガネ
【発明の詳細な説明】
【技術分野】
【０００１】  本発明は、携帯電話の子機としての機能を具えたメガネに関する。その形態を以て発明とするものである。
【背景技術】
【０００２】  従来の携帯電話は、それ自体が固定電話の子機としての機能を有している為、同様の形態の子機を要するという発想自体はあまり意味のないものだった。【０００３】  従来の携帯電話は、左右いずれかの手に持って使用することから、運転中や作業中に用いるのに不便があるし、そもそも運転中の使用は禁止されている。【０００４】  従来のメガネは携帯電話の機能を具えていない。ファッションとして用いる者も含めると、メガネを常用する者は多く居る。
【発明の開示】
【発明が解決しようとする課題】
【０００５】  従来のメガネは視力を補う為、あるいはファッションとして用いるのみのものであった【０００６】  従来の携帯電話は、オプションを用いることで車のダッシュボードに固定して用いる方策はあるが、手にして用いることは禁止されている。また防水機能を具えた機種もあるが、入浴中に片手が塞がれるという難点もある。いずれにせよ、フリーハンドで用いられるものではない。
【課題を解決する為の手段】
【０００７】  本発明は、従来視力を補う為、もしくはファッションとして用いられているメガネに、携帯電話の子機としての機能を付与することで、メガネ使用者にフリーハンドで通話等のやりとりを可能たらしめる。
【０００８】  従来の固定電話と子機との関係を、携帯電話とメガネとの間に構築するのは現在の技術で可能なことである。携帯電話は親機であるから、子機としてのメガネを機能させるには親機たる携帯電話は一定の距離の範囲内になければならない。
【０００９】  親機たる携帯電話に電源が入ってさえいれば、一定の範囲内に於て、着信および発信ができるよう、然るべきスイッチやボタン等をメガネに設ける。通話時のマイクも具え、本来のメガネに於てはレンズとしての役しか担っていなかったレンズにディスプレイ機能を付与するのも可能である。
【発明の効果】
【００１０】  従来のメガネに携帯電話の子機としての機能を付与することで、様々なシーンに於てフリーハンドで通話のやりとりが可能となる。
【００１１】  蔓の部分等にボタンを設けることでメールのやりとりもできるようにする。レンズに然るべき加工部分を設けて文字が視認できるようすれば、いちいち携帯電話を手にしなくとも相手とコミュニケーションがとれる
【発明を実施するための最良の形態】
【００１２】  以下本発明の実施の形態を図１−図２に基いて説明する【００１３】  図１、図２、ともに同じ携帯メガネ電話である。図の１は着信または発信ボタンである【００１４】  図の２はマイクである、口許まで持ってこられるように取り付けられている。外しただけで着信傍受になると望ましい。【００１５】  図の３はボタンである。メールも打てる仕様にできるようにし、機能については、普通の携帯電話にあるものを可能な限り付与し、子機だけでコミュニケーションが十分に図れるようにする。図には計１０個のボタンを設けている。【００１６】  図の４はレンズである。レンズの一部に液晶を用いる
【図面の簡単な説明】
【００１７】
【図１】  携帯メガネ電話の全景である。マイクを収納した状態
【図２】  携帯メガネ電話の全景である。マイクを外した状態
【符号の説明】
【００１８】  １、着信、発信ボタン
２、マイク
３、ボタン
４、レンズ、一部を液晶にしてある。
【図１】
2009232470.tif 000003
【図２】
2009232470.tif 000004
(57)【要約】      （修正有）【課題】携帯電話機のマイクから入力する周囲の音声を拡声する補聴機能を備えた携帯電話機を提供する。【解決手段】イヤホン使用時に、難聴者が周囲音を聞くことが可能なように、携帯電話機のマイクから入力する音声の高増幅が可能な増幅器を備える。【選択図】図１
2009232431.tif 000002
【特許請求の範囲】
【請求項１】
携帯電話と補聴機能を備えた集音器等の一体型を設ける。
【請求項２】
携帯の音声マイク部分（入力）の増幅器をレベルアップするとともに、携帯電話のふたを閉じた状態で、周囲の音声がイヤホンを通して聞こえるようにする。（アナログ式）
【請求項３】
携帯電話のふたを閉じた状態で周囲の音声を拾いやすくするために携帯電話の外側にも音声の取り入れ口を設ける。
【請求項４】
請求項２に対し、重度難聴者用としてデジタル式も設ける。
【請求項５】
携帯電話のふたの開閉の際、ふたが閉じているときは周囲の音声（携帯電話の呼び出し音を含む。）が聞こえ、開いたときは、通常の携帯電話の受話音が聞こえるように（ふたの開閉に関係なくイヤホン使用）切り替えスイッチを設ける。
【発明の詳細な説明】
【技術分野】
【０００１】  本発明は、携帯電話のマイクから入る周囲の音声を大きくする拡張機能を設けた携帯電話と補聴機能を備えた集音器等の合体型発案品である。
【背景技術】
【０００２】  現在、市販されている携帯電話には、難聴者用の機能を備えたものは無い。ただし、携帯電話とは別売りの周辺機器を購入することにより、難聴者に対応できる状況にある。しかしながら、条件があり、８００メガヘルツの携帯電話に限られたり、テレコイル対応（ループシステム）を備えていなければならない。または、携帯用電話向け特殊イヤホンとデジタルオーディオプレーヤーとセットすると補聴器になる物などが販売されているが、補聴器単体でも高価な代物であるにもかかわらず、更に高価な付属品を購入しなければならない現状にある。
【発明の開示】
【発明が解決しようとする課題】
【０００３】  今日では、携帯電話は無くてはならない必需品であるが、操作について行けない老人や難聴者には、馴染みが薄く愛用者も少ない現状にあった。しかし、これからの時代は、今の熟年層が老人となり、携帯に強い老人が増えることは必定である。そんな中、携帯電話の他に、補聴器を操作する煩わしさや、補聴器を付けている恥ずかしさがあり、携帯電話自体に補聴機能をと望む声が多くなると思われる。また、補聴器に携帯電話を近づけることが、ハウリングを発生させる原因にもなる。そこで、考案したのが、この「音声拡張器付携帯電話（助聴力携帯）」である。
【課題を解決するための手段】
【０００４】  難聴者用に聞こえるようにするため、携帯電話の音声マイク部分（入力）の増幅器をレベルアップする。これにより、イヤホン使用時の難聴者が耳にする音量が大きくなり、携帯電話のコール音及び周囲音全体の音が聞こえるようになる。また、イヤホンとのハウリング防止ができる上に周囲の人には、ＦＭラジオやプレイヤーを聞いているかのように見え、難聴者と思われない利点が生ずる。
将来、技術的に可能であれば、イヤホンの二股の一方が周囲の音声、もう一方がＦＭラジオやプレイヤーを同時に聞けるようにする。
【発明の効果】
【０００５】  本発明の「助聴力携帯」を設けることにより、健常者と同じように音楽を楽しむ感覚でイヤホンを使用することができる。また、アナログ式の音を耳にするため、難聴にならない以前の時のように、車や自転車の近づく音や周囲の様々な音を聞き分けるため、周囲の人々が難聴者と気づくことがない良好な効果をもたらす。このように、周囲の音（雑音）が聞こえることで、健常者と同じように街に出かけられ安全面を保てるアナログ式は、周囲の雑音を消す機能を備えたデジタル式に比べ技術的に容易であり、携帯電話の機能を活用できるため、補聴器と周辺機器及び携帯電話を併せ持つ技術も必要が無く、安価に製造できる。また、更に携帯電話自体を補聴器化する技術も不必要である。
【発明を実施するための最良の形態】
【０００６】  以下、本発明の実施の形態を説明する。
（ア）特許請求範囲の主とする（１）携帯電話の音声マイク部分の増幅器をレベルアップし、イヤホンを用いて周囲の音声を難聴者が聞けるようにする。
（イ）携帯電話のふたを閉じた状態で、マイクに周囲の音声が入るように（２）音声の取り入れ口を外側にも設ける。
（ウ）特許請求範囲の主とする（１）のアナログ式に対し、重度難聴者用としてデジタル式も特許請求範囲に設ける。
（エ）（３）携帯電話の開閉の際に、周囲の音と携帯電話の受話音と切り替えれるようにスイッチを設ける。
【図面の簡単な説明】
【０００７】
【図１】  本発明の助聴力携帯を開いた状態
【図２】  本発明の助聴力携帯を閉じた状態
【図３】  本発明使用時の正面全容図（想定）
【符号の説明】
【０００８】  （１）マイク（既存例１、２）、（２）音声の取り入れ口（例１及び隙間溝例１）、（３）開閉時の切り替えスイッチ、（４）助聴力携帯装着例（胸ポケット）
【図１】
2009232431.tif 000003
【図２】
2009232431.tif 000004
【図３】
2009232431.tif 000005
(57)【要約】【課題】  鍋料理で葛きり・はるさめ・マロニーは、元来無色透明あるいは半透明である為に、鍋中から見つけにくく食しにくかった。また鍋中に取り残されて、煮崩れさせてしまい食しにくかった。そのような葛きり・はるさめ・マロニーを、鍋中で見つけやすく食しやすくする。【解決手段】  葛きり・はるさめ・マロニーの主材料に、天然色素又は食用色素を添加することにより、着色された葛きり・はるさめ・マロニーにする。【特許請求の範囲】
【請求項１】
天然色素又は食用色素で着色されたことを、特徴とした葛きり・はるさめ・マロニー。
【発明の詳細な説明】
【技術分野】
【０００１】  従来は、透明或いは半透明である葛きり・はるさめ・マロニーを、天然色素又は食用色素で着色製造した葛きり・はるさめ・マロニーに関するものである。
【背景技術】
【０００２】  鍋料理で葛きり・はるさめ・マロニーは、元来無色透明（透明性がある方が良いとされ、またそれが特徴とされている）或いは半透明である為に、鍋中から見つけにくく食しにくかった。また鍋中に取り残され、煮崩れさせてしまい食しにくかった。
【発明が解決しようとする課題】
【０００３】  葛きり・はるさめ・マロニーを鍋中で見つけやすくし、食しやすくする。
【課題を解決するための手段】
【０００４】  葛きり・はるさめ・マロニーの主材料に、天然色素又は食用色素を添加することにより、着色された葛きり・はるさめ・マロニーにする。
【発明の効果】
【０００５】  葛きり・はるさめ・マロニーを鍋中で見つけやすくし、食しやすくする。また見つけやすくなるので、鍋中に取り残されず、煮崩れする前に食せる。
(57)【要約】      （修正有）【課題】ガーデニングのやり方の拡大と、植物栽培容器の利用の拡大を提供する。【解決手段】植物栽培容器１の内部に筒状の周壁の貫通孔２を設ける。貫通孔２を利用することにより立体的な植物栽培容器として楽しむ他、ソーラーライト、旗竿等の設置が可能となる。【選択図】図１
2009232827.tif 000002
【特許請求の範囲】
【請求項１】
任意形状の植物栽培容器の内部に任意形状の周壁からなる貫通孔を設けたことを特徴とする植物栽培容器。
【発明の詳細な説明】
【技術分野】
【０００１】  本発明は、植物栽培容器の利用の範囲の多用性を拡大することを目的とした、植物栽培容器に関するものである。
【背景技術】
【０００２】  従来、植物栽培容器は植物体の成長を促進する栽培容器が多かった。
【発明の開示】
【発明が解決しようとする課題】
【０００３】  そのために次のような問題点があった。
１  ガーデニングのやり方を拡大することがかぎられていた。
２  植物栽培容器の使い方が限られていた。
本発明は、以上の問題点を解決するためになされたものである。
【課題を解決するための手段】
【０００４】  任意形状の植物栽培容器の内部に、任意形状の周壁からなる、貫通孔を設けたことを特徴とする植物栽培容器を提供する。
【発明の効果】
【０００５】  他の植物栽培容器と組合わせたり、他の資材と組合わせたりして、ガーデニングのやり方を拡大したり、植物の栽培量を増やしたりする効果がある。
【発明を実施するための最良の形態】
【０００６】以下、本発明の実施の形態を説明する。
植物栽培容器１の内部の底部から上方に向けて、筒状の周壁４をそなえた、貫通孔２と底部に排水孔３を設ける。【０００７】植物栽培容器の形状は、円形、楕円形、角形、ハート形、等様々にする。
植物栽培容器の素材は合成樹脂、木材、金属、等様々にする。
植物栽培容器の大きさは植物を栽培する為に市中で販売されている容器の大きさとする。【０００８】貫通孔の形状は、周壁部分が植物栽培容器の形状と同じでもよく、又は、下部が広く上部が下部より少し狭くしてもよい。又、その逆でもよい。
又、カマボコ形、など様々なデザインが考えられる。
貫通孔の周壁部分の高さは植物栽培容器の高さと同じか、少し低くてもよい、又、少し高くてもよくい。【０００９】以下、使用例を説明する。
１  立体的な植物栽培容器（フロールフラワーカップ  ハイタイプ）等は、上部栽培容器に植物を植える為、重量が上部に有る為、風等により倒れる危険性がある。その為に下部の立ち上がり部分を貫通孔の内側に内設して、貫通孔付き植物栽培容器で押さえつける。
その為に、立体的な植物栽培容器の転倒を防ぐことができる。
又、上部の植物栽培容器に植えた花等の植物と下部の貫通孔付き植物栽培容器に植えた花等の植物の両方を楽しむ事ができる。
２  ソーラーライトを貫通孔付き植物栽培容器の貫通孔の内側に垂設に設ける。
ソーラーライトの灯りにより、夜間でも植物栽培容器の花を楽しむことができる。
３  その他に、様々な資材、（蔓支柱、旗竿、ボール、イルミネーション）と組み合わせて色々なところで植物の栽培を楽しむ事が出来る。
【図面の簡単な説明】
【００１０】
【図１】本発明の斜視図
【図２】本発明の平面図
【図３】本発明の断面図
【符号の説明】
【００１１】（１）植物栽培容器
（２）貫通孔
（３）排水孔
（４）周壁
【図１】
2009232827.tif 000003
【図２】
2009232827.tif 000004
【図３】
2009232827.tif 000005
(57)【要約】【課題】  限られた空間で、効率よく植物を栽培するために、縦方向のスペースを利用した立掛けプランターと、種まきを安定させるため、そして栽培している植物を容易に把握するために、プランターに取り付けられて尚且つ、市販種の袋を使ってネームプレートも兼ねることが出来る種箱を提供する。【解決手段】  縦のスペースを有効活用するために、三角形のプランター４をボード（板）２に取り付ける。収穫後、手間を掛けず種まきが出来るように、プランターに種箱を取り付けられるようにする。それから、種箱を透明なケースとし、市販種の袋９をネームプレートにすることが出来るようにする。以上よりなる透明種箱付き立掛けプランターである。【選択図】図１
2009232825.tif 000002
【特許請求の範囲】
【請求項１】
ボード（板）に複数のプランター機能を持たせ、壁に立掛けたり、固定できる台に乗せたりして、省スペースで植物の栽培を可能にする立掛け式プランター。
【請求項２】
種箱をプランターに取り付けることで種まきを容易にし、収穫の継続性を高め、尚且つ、その種箱を透明なケースとすることで、市販種の袋をネームプレートにもすることが出来る種箱。
【発明の詳細な説明】
【技術分野】
【０００１】  本発明は、限られたスペースで効率よく植物栽培をするために、縦のスペースを有効利用出来るプランターに関するものである。【０００２】  本発明は、収穫後の種まきを安定させ、収穫の継続性を高めるために、プランターに種箱を取り付け、そしてその種箱を透明なケースにすることで、市販種の袋をネームプレートとしても活用できるようにした種箱に関するものである。
【背景技術】
【０００３】  従来は、縦の空間を利用するための立掛け式プランターは無かった。【０００４】  従来は、プランターに取り付け、継続的な収穫を目的とし、尚且つ、市販種の袋を入れて、ネームプレートにすることが出来る種箱は無かった。
【発明の開示】
【発明が解決しようとする課題】
【０００５】そのために次のような間題点があった。
（イ）プランターを置くスペースが制限され、効率よく植物を栽培することが難しかった。
（ロ）プランターの近くに種を置くことが出来なかったので、収穫後の種まきに手間が掛かり、安定した収穫を継続させることが難しかった。また、ネームプレートを用意することにも手間が掛かった。
本発明は、以上の問題点を解決するためになされたものである。
【課題を解決するための手段】
【０００６】（イ）縦方向のスペースを有効に使えるように板を活用する。ボード（板）２にプランター４を取り付ける。
（ロ）種箱は透明なケースとする。直接取り付けられる種箱兼ネームプレート（固定式）１と追加タイプの種箱兼ネームプレート（可動式）５を用意する。種箱兼ネームプレート（可動式）５は追加用種箱としてだけでなく。既存のプランターにも活用できるように、プランター掛けフック８を取り付ける。
本発明は、以上の構成よりなる透明種箱付立掛けプランターである。
【発明の効果】
【０００７】（イ）ボード（板）２を立掛けることによって縦のスペースを活用することが可能になり、限られたスペースでも以前より効率よく植物を栽培することが可能になる。
（ロ）収穫後の種まきを容易にし、安定した収穫を継続させるだけでなく、栽培している植物の把握も容易になる。
【発明を実施するための最良の形態】
【０００８】  以下、本発明の実施形態を説明する。
（イ）  ボード（板）２に土を受けやすく、尚且つ各段のプランター４に干渉しないようにプランター４の形状を三角形とする。素材は基本的に木材に防腐剤を塗ったものを使用する。立掛ける場合、固定穴３を使い転倒などの事故を防ぐようにビスや針金等で固定できるようにする。また、立掛ける壁が無い場合には、専用固定台６を設置し安全を確保する。
（ロ）  収穫後、すぐに種まきが出来るように、種箱兼ネームプレート（固定式）１をプランター４に取り付ける。種箱の素材は透明なプラスティック系統、又は樹脂系統のいずれかにし、ケースは透明にする。ケースに市販種の袋９を名前や写真がわかるように入れる。屋外での使用を前提としているので、雨が入り込まないように上面が下面を覆うような形状にする。
（ハ）  種箱兼ネームプレート（可動式）５は、種箱兼ネームプレート（固定式）１の取り付け用ビス穴７が無いタイプの裏に、プランター掛けフック８を取り付けたものとし、種箱を追加したい場合、プランター４に引っ掛けて使用する。また、既存のプランターに応用することで、種箱兼ネームプレート（固定式）１と同様、収穫後の迅速な種まきを可能にし、収穫の継続性を安定させる。
【図面の簡単な説明】
【０００９】
【図１】透明種箱付き立掛けプランターを専用固定台に取り付けた斜視図である。
【図２】種箱兼ネームプレート（固定式）１の図である。
【図３】種箱兼ネームプレート（可動式）６の図である。
【図４】透明種箱付き立掛けプランターの斜視図である。
【符号の説明】
【００１０】１種箱兼ネームプレート（固定式）
２ボード（板）
３固定穴
４プランター
５種箱兼ネームプレート（可動式）
６専用固定台
７取り付け用ビス穴
８プランター掛けフック
９市販種の袋
【図１】
2009232825.tif 000003
【図２】
2009232825.tif 000004
【図３】
2009232825.tif 000005
【図４】
2009232825.tif 000006
(57)【要約】【課題】  害虫退治の時、死がいも一緒に処分できるように、シートの両面に種類の異なる接着剤を塗ったシートを提供する。【解決手段】  シートの表（１）と裏（２）に、それぞれ害虫駆除用と取りはずしが可能な程度の接着剤（３）を塗ったことを特徴とする。【選択図】図１
2009232832.tif 000002
【特許請求の範囲】
【請求項１】
シートの表（１）と裏（２）に接着剤（３）を塗った害虫とりシート。
【発明の詳細な説明】
【技術分野】
【０００１】  この発明は、シートの両面に接着剤を塗り、害虫をくっつけて駆除する両面接着剤つき害虫とりシートである。
【背景技術】
【０００２】  従来、害虫は退治しても死がいはそのままに残ってしまっていた。
【発明の開示】
【発明が解決しようとする課題】
【０００３】  これは次のような欠点があった。
従来、殺虫剤は害虫を退治できたとしてもそのまま死がいが残ってしまい、その死がいを処分するのに困ることが多かった。
本発明は、以上のような欠点をなくすためになされたものである。
【課題を解決するための手段】
【０００４】  シートの表（１）と裏（２）に種類の異なる接着剤（３）を塗る。
本発明は、以上の構成よりなる両面接着剤つき害虫とりシートである。
【発明の効果】
【０００５】  シートの片面には、取りはずしが可能な程度の接着剤をつけ、もう片面には、害虫駆除用の接着剤をつけているので、見つけた害虫をそのままくっつけて処分することができる。又、殺虫剤をかけにくい高い所、天井、壁等に出てきた害虫にも、フローリングワイパーやスリッパ、ほうき等に付けはずしが可能な方の面を取り付け、もう片方の面でくっつけて駆除することができる。
【発明を実施するための最良の形態】
【０００６】  以下、本発明を実施するための最良の形態について説明する。
シートの表（１）に害虫駆除用の接着剤（３）を塗る。
シートの裏（２）に取りはずしが可能な程度の接着剤（３）を塗る。
本発明は、以上のような構造である。
これを使用するときは、表面だけを使って害虫駆除するのもよいが、その裏面を何か他の用具に付けて害虫駆除するのもよい。
【図面の簡単な説明】
【０００７】
【図１】  本発明の斜視図である。
【図２】  本発明の断面図である。
【符号の説明】
【０００８】  １  シートの表
２  シートの裏
３  接着剤−害虫駆除用の接着剤と取りはずしが可能な程度の接着剤
【図１】
2009232832.tif 000003
【図２】
2009232832.tif 000004
(57)【要約】      （修正有）【課題】風速を速めるダクトの効果が不十分である。【解決手段】隔壁付定電圧風力発電機８は、ファンのブレイド５に連結するテーパー付弾性体ネジ部３に向い風の強弱に応じて摺動する遠心力ガバナーのリング１を背面をバネ２で支えられて発電機に連動し、発電する電圧を一定に保つ機能を保持すると共に、後尾に圧力隔壁７を設置して高めた風圧で前記ファンのブレイドの回転運動を速め、発電力を高めた風力発電機で、前記圧力壁が風向きが反対方向に変わると前記風力発電機の向きを自動的に１８０度転換する風力発電機です。【選択図】図１
2009287545.tif 000002
【特許請求の範囲】
【請求項１】
プロペラ風力発電機のファンのブレイドの風力による回転運動をナセルに内蔵されている発電機を連動させて発電させるシャフトが通常の金属部のシャフト上にテーパー状の弾性体のネジ部を固定させて、ナセル寄りに嵌め込んでだバネの前面と背面で接触する錘のリングを前記テーパー状の弾性体のネジ部の上から被せて前方から吹く風力の強弱に応じて前記リングが受ける風力を前記バネに伝えてその弾性体の伸縮により前記テーパー状の弾性体のネジ部の位置を自動的に摺動することによって前記ファンのブレイドの回転運動を一定に保ち前記発電機の発動電圧を一定に自動的に保つと共に、風が弱まった際に、風力に圧されて縮小していた前記バネが伸びることによって前記弾性体のネジ部に嵌っていたリングが前記ネジの谷部を後ろから圧されて前記リングを前方に搾り出す方向に位置を移動させて前記ファンのブレイドの回転運動を持続させるのでシャフトに連動する風力発電を継続的に行わせる構造の風力発電機です。
【請求項２】
当該定電圧風力は、前後及び下方に開いているカバーを前記ファン及び発電機を内蔵するナセルに上から被せて、向い風の入口から流れ込む気流が前記カバーの内部の気圧が高いので、気流が前記カバーの入口から脇に逸れてるのを防ぐ為、前記カバーの出口から短い距離を離して前記カバーの入口及び後部に広がった出口の断面積より広い圧力隔壁を向い風に垂直に設置して気流が前記カバーの入口付近全般に一様に流れることにより前記カバー内に流入し、前記ファンのブレイドの回転運動を高い風圧で加速することによって風力発電を増大させる風力発電機で、前記カバーの後部の少し離れた位置に圧力隔壁を設置して風圧を高めてブレイドの回転力を増大する構造を他の一般的な風力発電機にも適用して発電力を増大する為に圧力隔壁を組み込んだ構造を含む風力発電機。
【請求項３】
前記風力発電機のカバーの後方に一定の距離を隔てて設置する圧力隔壁の約半分の面積を縦割りにして蝶番で両方の隔壁板が留められていて，その内の、片方だけが前記カバーに面が垂直に固定されていて、前記カバーの後方から風向きが反対方向に変わった風が吹く時、二つに垂直に割れた隔壁の一方の側の隔壁と蝶番で止まっているもう片方の圧力壁が風に圧されて、内側に折れ曲がっで前記カバーの出口を圧すことにより、ベアリングに底面で支えられて自由に回転を可能にする風力発電機本体がヨー上を１８０度くるりと自動的に回転して発電体制を正常にする姿勢を整える発電機。
【発明の詳細な説明】
【項目名】
従来の技術
【０００１】従来の風力発電機でファンの位置の前後に円錐台形の筒を配置したり、前後に遮蔽物を設置しない状態で前記ブレイドを向い風の風力で回転させているので発電機のシャフトを回転させて発電するが、実際には、向い風の風量が常に充分ではなく、それを補う為に前方の集風管の入口の断面積を大きくして前記ファンの間近迄ダクトの断面を狭め乍風速を速めて発電効率を高める心算が、実際には、入口の大きく先が狭まった断面の筒を気流が通ると、ボイル・シャールの法則のＰＶ＝ＲＴにより、圧力Ｐが増大して、容積Ｖが減少するので、前記集風管内の気流の流速が速まらず反って、前記ファンのブレイドの回転力が減少する為発電量は増大せず、一方、前記ファンの位置より後方に広がる断面積のダクトを通過する気流も寧ろ、ダクトを取っ払った方が前記カバー内の気流が通過し易くなる為前記ファンのブレイドの回転力が弱まり発電力が減少します、又、従来の風力発電による電圧は向い風の強弱に伴いまちまちの為、ユーザーの電力会社が火力発電で発電した電力を一定電圧に達する迄補充する必要がある為、手間とコストが嵩むので風力発電の普及に支障を来たしています。
【項目名】
当該技術
【０００２】当該技術は、風力発電機の後尾に圧力隔壁を向い風に垂直に建ててカバー内の風圧を高めてファンのブレードの回転力を増大させて発電力を高め、更に、発電機のシャフトのテーパーの弾性体ネジ上に錘のリングの背面をバネで支えて向い風の強弱に応じて自動的に摺動させ、その金属と弾性体が伸縮することにより、風力が微弱の時は前記バネが前記リングの錘を絞り出すように圧して前進させるので弾性体のネジの山と谷の前記金属の錘の接触力で前記ファンのブレードの回転力を維持させて発電作業を継続させ、又、前記バネを収縮させて風のエネルギーを蓄える機能を保持します。一方、風向きが急に反対方向に変わっても、前記圧力隔壁が中央で二分されているのを蝶番で留めていて固定されている一方の隔壁と反対側の隔壁が風に吹かれて内側に折れ曲がって前記カバーの出口部を圧して自動的にくるりと１８０度回って前記発電機の発電作業の為の正常な姿勢に整えます。
【図面の簡単な説明】
【０００３】
【図１】当該隔壁付定電圧風力発電機の断面図の一例
【符号の説明】
【０００４】１．定電圧ガバナー用リング    ２．定電圧ガバナーのバネ    ３．ガバナーの弾性体テーパーシャフトネジ部    ４．集風管    ５．ファンのブレード    ６．ナセル    ７．方向転換機能を備えた圧力隔壁    ８．発電機    ９．ヨー    １０．ハブ    １１．シャフトの金属部    １２．タワー    １３．胴体    １４．電線    １５．カバー
【発明の詳細な説明】
当該隔壁付風力発電機は、ファンのブレード（５）の向い風による回転運動をガバナーの弾性体テーパーネジ（３）をナセル（６）に内蔵された発電機（８）のシャフト（１１）上に固定して背面を定電圧ガバナーのバネ（２）で支えられた定電圧ガバナー用リング（１）を吊るして向かい風の強弱に応じて摺動することによって金属と弾性体の摩擦圧によって回転エネルギーを定電圧ガバナーのバネに貯えてハブ（１０）を通して前記ファンのブレード（５）の回転力を保持すると同時に一定電圧に保つ風力発電機で、発電機本体に先端の断面積が広くなっている集風管（４）と同じく拡大された断面積の気流の出口と下方に開いているカバー（１５）を被せてその内部を集められた気流が通過するのをナセル（６）と胴体（１３）で繋がる方向転換機能を備えた圧力隔壁（７）に遮られ、前記カバー（１５）内部の気圧を高めてカットイン風力を縮めて発電風力の風速の幅を広げた前記ファンのブレード（５）の回転速度を高めて発電力を増大する定電圧風力発電機で、その後尾の圧力隔壁（７）が垂直に二分されていて蝶番で繋がっていて、その内の固定された片方の壁のもう一方の壁が風向きが後ろから吹くように変わる時、内側に折れ曲がって前記カバー（１５）の出口を圧して電線（１４）を内蔵するタワー（１２）で支えられたヨー（９）で１８０度くるりと回転して発電を行う姿勢に自動的に整える隔壁付風力発電機です。
【図１】
2009287545.tif 000003
(57)【要約】【課題】家庭用、工業用に使われる電力消費量は日毎に増加している。供給する発電所は水力、、風力、潮力等の自然を利用した物、火力、原子力等地球温暖化を助長する物があるが、自然を利用する物は気候の状態に左右される。又、火力、原子力等は環境の悪化や危険を伴う。【解決手段】どこにでも張り巡らされている道路の途中にコイルと永久磁石を置き、通行する自動車によってコイルの内部に自動車の通貨により上下する踏み板を置きその下にコイルの内部の永久磁石を上下させてコイルの両端から電力を取り出す発電機。【選択図】図−１
2009287547.tif 000002
【特許請求の範囲】
【請求項１】
自動車の通行する道路の一部の地中にコイルを埋めておき、その上に自動車が通行する時に車輪が乗ることにより上下する下部に永久磁石を地中のコイルの中を上下してコイルの両端から交流電力を取り出す発電機。
【発明の詳細な説明】
【発明の詳細な説明】
【技術分野】
【０００１】本発明は自動車の通行によって交流を発電する機に関する物である。
【背景技術】
【０００２】  現在の商用電気の発電は、水力、風力、潮力等の自然現象を利用した物や、火力、原子力等環境に悪い物、或いは危険な物が主流であり、資源の枯渇や、環境の変化により永久に保障される物ではない。
【発明が解決しようとする課題】
【０００３】本発明はこれらの欠点を取り除くものである。
【発明が解決しようとするための最良の形態】
【発明が解決するための最良の手段】
【０００４】自動車が通行する道路の地中にコイルを埋めておき、このコイルの中に自動車の通過により上下する永久磁石を入れ、コイルの両端から交流電力を得る発電機である。
【発明の実施するための最良の形態】
【０００５】以下に本発明の形態について説明する。
（イ）図−１は本発明の構造図である。
（ロ）自動車は（１）の道路を通行する。
（ハ）道路（１）の途中に設けられた坂を登り（或いは直接裏に永久磁石（４）がヒンジ（９）で吊り下げられた踏み板（３）の上を通過する。
（ニ）この踏み板（３）は地面との間にゴム（７）で地面から浮かしてある。自動車（２）の通過により踏み板（３）は永久磁石（４）を地中に埋められたコイル（５）の中を上下に動く。
（ホ）これによりコイル（５）の出力端子（６）の両端に交流を発電する。
（ヘ）コイルは防水のためにコンクリートで作ったケース（９）に収納する。
【発明の効果】
【０００６】気候の影響を受けず公害を発生させず自動車が走行する限り電力を得ることができる。
【図面の簡単な説明】
【０００７】（１）道路
（２）自動車
（８）踏み板
（４）永久磁石
（５）コイル
（６）出力端子
（７）ゴム
（８）トランス
（９）防水ケース
（１０）ヒンジ
【図−１】
2009287547.tif 000003
【手続補正書】
【提出日】平成20年8月13日(2008.8.13)
【手続補正１】
【補正対象書類名】明細書
【補正対象項目名】０００７
【補正方法】変更
【補正の内容】
【０００７】
【図−１】は本発明の構造図である。（１）道路  （２）自動車  （３）踏み板  （４）永久磁石  （５）コイル  （６）出力端子  （７）ゴム  （８）トランス  （９）防水ケース  （１０）ヒンジ
(57)【要約】      （修正有）【課題】停止加力のまま無限回転のクリーンエネルギー実現。【解決手段】固定した車軸１のサンギャ５に巻いたチェーンなどを左まわり交点の反対右まわりにほどくと、回転運動エネルギーの距離が得られている。ほどかれたチェーンを主柄先遊星小ギャで巻きとりつつ、遊星軸固定の遊星サンギャに右まわりする中小ギャ組で右まわり自転力をつくらせながら、左まわり公転力をつくらせて、永続的自公転モーメントエネルギーが産出させられる。【選択図】図１
2009287546.tif 000002
【特許請求の範囲】
【請求項１】
明細書・図面・要約書など
【請求項２】
（１）頁の（００１１）
【請求項３】
同  上の（００１２）
【請求項４】
同  上の（００１３）
【請求項５】
同  上の（００１４）
【請求項６】
同  上の（００１５）
【請求項７】
明細書の（００１６）
【請求項８】
同  上の（００１７）
【請求項９】
同  上の（００１８）
【請求項１０】
同  上の（００１９）
【請求項１１】
同  上の（００２０）
【請求項１２】
同  上の（００２１）
【請求項１３】
同  上の（００２２）
【請求項１４】
同  上の（００２３）
【発明の詳細な説明】
【技術分野】
【００１６】  機械技術による無限無公害の回転動力、なかんづく発電動力等。
【背景技術】
【００１７】  諸資源の浪費と恐るべき原子力等や温暖化等で地球生物等への大公害を与えてきた。
【発明が解決しようとする課題等】
【００１８】  固定した車軸のサンギャに巻いたチェーン等を、左まわり公転の反対右まわりにほどくと、回転運動エネルギーの距離が得られている。ほどかれたチェーンを主柄先遊星小ギャで巻きとりつつ、遊星軸固定の遊星サンギャに右まわりする中小ギャ組で右まわり自転力をつくらせながら、左まわり公転力をつくらせて、永続的自公転モーメントエネルギーが産出させられる。
サンギャと同径の加力ギャで前記チェーンを巻きとれば、停止加力のまますばらしくクリーンな無限回転エネルギー現出の大挙実現可能となる。
次に透視平面図の〔図１〕を参考に説明を進める。
【００１９】  半径３．５の車軸サンギャと同径の加力ギャからのチェーンで、遊星軸▲１１▼に固定した遊星サンギャにまわる小ギャ群と支柄▲２０▼を右まわりに自転（モーメント約２１）させる。そして車軸サンギャからのチェーンで巻制しながら左まわりに公転させて、約２８０もの自公転水平計算モーメント値現出可能となる。
【００２０】  しかし各軸には高低差があるため、斜交減転等による負モーメントが避けられず、水平回転力は大巾に縮減される。
そこで支柄につく中小ギャ軸を上下させたり、各軸に平行と垂直のボールベァリングやバネ等使用（加力テコにも）で斜交減転やマサツ等縮小をはかりつつ、部品構成や材質改善（強度や軽量化等含む）等が必要となる。
【００２１】  構成簡易化の便法として、▲３９▼のチェーンを引きながら、▲２１▼を省いて計算ピッチを６としつつ、水平回転力を１００以上にもできる簡易化水平調転法もある。
ところで、▲４７▼▲４８▼▲４９▼は内歯車（補輪▲４９▼小ギャをつけると平歯車でもよい）に組合せる例で、１００以上の水平回転動力産出の別法もある。
いずれにしろ使用目的に合わせ、大中小ギャの組合せと加力（バネやフリーギャ等をつけてもよい）の増減、そして斜交減転等の減小をはかるとよい。
なお、▲５０▼の加力法は、車軸サンギャで巻制して加力正逆を生ませる加力別法例である。
【００２２】  以上を原転とすれば、添転として▲６０▼▲７０▼では原転の２倍の力で  （２×４×２＝１６）＋（１２×２×４＝９６）＝１１２  の添転トルクも得られる。ところで、原転の回転数をふやすことになるが、総部品数をふやさないで済むことになる。
【００２３】  動力をとりだすには、車軸につけたギャ等で伝達させることはもちろん、必要なときは共通加力組合せやリモコン操作も有効となる。使用例は発電機等のモーターをはじめ、空地海の回転動力等となり、古来エネルギー論等の次元を超え、静止加力のまま永続回転のクリーンエネルギーを創出させ、諸資源を守りつつ排気等の諸公害を無用にして、悪名高い放射能の追放等を実現させられる。
【図面の簡単な説明】
【図１】は創転調車の透視平面図。上記中の線の説明  （１）実線は主・支柄と各軸心（ベァリング心含む）、加力テコ先（ギャ縁突起含む）を示す。（２）１点鎖線はピッチ円線でスプロケット等と平歯車を示す。（３）破線はチェーン等を示す。
【符号の説明】
▲１▼  車軸
▲３▼  加力テコ先
▲５▼  車軸サンギャ
▲６▼  加力小ギャ
▲１０▼  主柄
▲１１▼  遊星軸
▲２０▼  支柄
▲２１▼  挿輪軸
▲２３▼  支柄端軸
▲３６▼  正転小ギャ
▲３９▼  双転チェーン
▲４５▼  半径３の加力ギャ
▲４６▼  同上のサンギャ
▲４７▼  内転加力小ギャ
▲４８▼  内歯車外端小ギャ軸
▲４９▼  内転外補輪軸
▲５０▼  巻制加力小ギャと小滑輪
▲６０▼  １次添転軸
▲７０▼  ２次添転軸
【図１】
2009287546.tif 000003
(57)【要約】【課題】優れた特性をもつカーボンナノチューブだが、微細粒子であるため金属等と混合・接続するのはコスト的、技術的に困難である。【解決手段】メッキの技術を応用することで金属等にカーボンナノチューブの被覆をつくることに成功した。鉄や銅、アルミといった一般に使われる材料にあらかじめ金メッキを施すことで、カーボンナノチューブの被覆材を作ることが可能である。【特許請求の範囲】
【請求項１】
金属材、プラスチック材、紙、木材、土、自然材などあらゆる素材の表面を、あらかじめ金、銀、白金、パラディウム又はボロン等でメッキ処理を施しておくことで、カーボンナノチューブ、フラーレン、カーボンナノファイバー等を被覆させる技術。
【請求項２】
電気メッキ、化学メッキ、蒸着などの方法でカーボンナノチューブ、フラーレン、カーボンナノファイバー等を被覆させる技術。
【発明の詳細な説明】
【技術の分野】
【０００１】本発明は、優れた電機特性をもったナノ構造炭素材を含有する金属材料またはその他の材料を、安価かつ簡単な工程によって得ることを目的とする。
【背景技術】
【０００２】近年、カーボンナノチューブやＣ６０フラーレン、カーボンナノファイバー等ナノ構造炭素材が注目されている。これらナノ構造炭素材は、電子・電気部品の素材として用いられている鉄、銅、アルミといった従来の金属材料とくらべ物質特性、電機特性に優れるが、コストが高く、また微細粒子であるためそのまま直接素材として使用するのは困難である。そこでナノ構造炭素材と金属材とを混合し、低コストかつ優秀な特性を持つ新素材として使用することを考えた。
【発明が解決しようとする課題】
【０００３】カーボンナノチューブやＣ６０フラーレン、カーボンナノファイバーは非常に微細な粒子であるため、金属に接続・混合することが極めて困難である。いかにナノ構造炭素材を混入し、かつその電機特性を維持するかが課題であった。
【課題を解決する為の手段】
【０００４】電気メッキの手法で銅線、ニッケルメッキした銅線及び金メッキした銅線の３種にカーボンナノチューブを被覆する実験を行ったところ、図Ｂに示すとおり、金メッキを施した銅線にのみ被覆が出来た。
【０００５】被覆したい素材にあらかじめ２４Ｋ〜１Ｋまでの金、銀、白金でメッキ処理を施しておくことで、ナノ構造炭素材をその上から被覆することができることがわかった。
【０００６】金、銀、白金、パラディウム、ボロンなどで表面をメッキすることが出来れば、その上にナノ構造炭素材の被覆を作ることが可能となる。
【図面の簡単な説明】
【０００７】
【図１】は［０００４］で行った銅線にナノ構造炭素材の被覆をつくる実験の模式図である。
【０００８】
【図２】は図１の方法で行った実験結果の写真である。
【図１】
2009287112.tif 000002
【図２】
2009287112.tif 000003
(57)【要約】【課題】  具の入った缶ジュースを飲むときに、具が缶から出やすいように、缶の飲み口の手前に凹みを設けた凹みつき缶ジュースの缶を提供する。【解決手段】  缶ジュースの缶（１）の飲み口（２）の手前に内側に向かった凹み（３）を設けた凹みつき缶を特徴とする。【選択図】図１
2009137645.tif 000002
【特許請求の範囲】
【請求項１】
缶ジュースの缶（１）の飲み口（２）の手前に、内側に向かった凹み（３）を設けた凹みつき缶。
【発明の詳細な説明】
【技術分野】
【０００１】この発明は、缶ジュースの缶の飲み口の手前に、凹みを設けた凹みつきの缶に関するものである。
【技術背景】
【０００２】従来、コーンなどの具が入った缶ジュースは飲み口付近に凹みを設けていなかった。
【発明の開示】
【発明が解決しようとする課題】
【０００３】これは、次のような欠点があった。
従来の缶では、飲み口付近にどうしても具が引っかかってしまい、飲み終わりのときに不快感を感じることがあった。本発明は以上のような欠点をなくすためになされたものである。
【課題を解決するための手段】
【０００４】缶ジュースの缶（１）の飲み口（２）の手前に内側に向かった凹み（３）を設ける。
本発明は、以上の構成よりなる凹みつきの缶である。
【発明の効果】
【０００５】飲み口付近に凹みがあることにより、具が流れに乗って缶外部に流出しやすく、具の飲み残しをなくすことができる。
【発明を実施するための最良の形態】
【０００６】以下、本発明を実施するための最良の形態について説明する。
缶ジュースの缶（１）の飲み口（２）の手前に内側に向かった凹み（３）を設ける。
本発明は以上のような構造である。
この缶を使用すれば、いかなる具であっても凹みがもたらす流れにより、飲み残しをなくすことができる。
【図面の簡単な説明】
【０００７】
【図１】本発明の斜視図である。
【図２】本発明の断面図である。
【符号の説明】
【０００８】１    缶
２    凹み
３    飲み口
【図１】
2009137645.tif 000003
【図２】
2009137645.tif 000004